(57)【要約】【課題】着用者の腹部の下側を十分に支持しつつ、腹部への食い込みを低減することが可能な妊婦用下半身衣類を提供すること。【解決手段】妊婦用下半身衣類１は、前合わせ部１０と、着用状態において着用者の胴体を囲むように環状に設けられるサポート部１１とを備える。前合わせ部１０は、妊婦用下半身衣類１の前中心においてサポート部１１よりも上方に設けられ、妊婦用下半身衣類１における前側の上縁の少なくとも一部を構成する。前合わせ部１０は、妊婦用下半身衣類１の上縁のうちの一部を構成し、且つ他の部分と接合していない非接合辺Ａを有する第１部１０ａと、上記上縁のうちの一部を構成し、且つ他の部分と接合していない非接合辺Ｂを有する第２部１０ｂと、を有する。第１部１０ａと第２部１０ｂとは、非接合辺Ａと非接合辺Ｂとが交差するように少なくとも一部が重なる。【選択図】図１
2020111841.tif 000002
【特許請求の範囲】
【請求項１】
妊婦用下半身衣類であって、
前記妊婦用下半身衣類が着用された状態において着用者の胴体を囲むように環状に設けられ、着用者の腹部の下側を支持可能なサポート部と、
前記妊婦用下半身衣類の前中心において前記サポート部よりも上方に設けられ、前記妊婦用下半身衣類における前側の上縁の少なくとも一部を構成する前合わせ部と、を備え、
前記サポート部は、
前記前合わせ部の右上端から下端を通って左上端までの辺に沿って設けられ、
前記前合わせ部は、
他の部分と接合する第１の接合辺と、前記上縁のうちの一部を構成し、且つ他の部分と接合していない第１の非接合辺と、を有する第１部と、
他の部分と接合する第２の接合辺と、前記上縁のうちの一部を構成し、且つ他の部分と接合していない第２の非接合辺と、を有する第２部と、を有し、
前記第１部と前記第２部とは、前記第１の非接合辺と前記第２の非接合辺とが交差するように少なくとも一部が重なる、妊婦用下半身衣類。
【請求項２】
前記前合わせ部の方が前記サポート部よりも伸縮性が高い、請求項１に記載の妊婦用下半身衣類。
【請求項３】
前記前合わせ部は前記サポート部に固定されており、
前記第１部は、
前記前合わせ部と前記サポート部との境界部分のうちの、前記前合わせ部の右上端よりも下側から前記前合わせ部の下端を通って前記前合わせ部の左上端までの部分で前記サポート部に固定され、
前記第２部は、
前記境界部分のうちの前記左上端よりも下側から前記前合わせ部の下端を通って前記右上端までの部分で前記サポート部に固定される、請求項１又は２に記載の妊婦用下半身衣類。
【請求項４】
前記前合わせ部の右上端から下端を通って左上端まで、前記前合わせ部の周りであって当該前合わせ部と前記サポート部とを接続する接続部を備え、
前記第１部は、
前記前合わせ部と前記接続部との境界部分のうちの、前記前合わせ部の右上端よりも下側から前記前合わせ部の下端を通って前記前合わせ部の左上端までの部分で前記接続部に固定され、
前記第２部は、
前記境界部分のうちの前記右上端から前記前合わせ部の下端を通って前記左上端よりも下側までの部分で前記接続部に固定される、請求項１又は２に記載の妊婦用下半身衣類。
【請求項５】
前記妊婦用下半身衣類は、
前身頃から後身頃にわたるように設けられたクロッチ部を有し、
前記サポート部が前記クロッチ部と接続する、請求項１から４の何れか１項に記載の妊婦用下半身衣類。
【発明の詳細な説明】
【技術分野】
【０００１】
本発明は、サポート部を備える妊婦用下半身衣類に関する。
【背景技術】
【０００２】
従来、筒状に形成され、着用者の腹部の下側から腰部に至る位置に略Ｕ字状に伸縮性のレース生地が縫着された妊婦用下半身衣類が存在する（例えば特許文献１参照）。この妊婦用下半身衣類では、上記レース生地を設けることにより着用者の腹部の下側を支持した。
【先行技術文献】
【特許文献】
【０００３】
【特許文献１】特開２０１６−１８０１９６号公報
【発明の概要】
【発明が解決しようとする課題】
【０００４】
しかしながら、上述した従来の妊婦用下半身衣類では、履き口が着用者の腹部に食い込んで不快感を生じさせるおそれがあった。仮に腹部の締め付けを緩めた場合、腹部を十分に支えることができなかった。
【０００５】
本発明の目的は、着用者の腹部の下側を十分に支持しつつ、腹部への食い込みを低減することが可能な妊婦用下半身衣類を提供することである。
【課題を解決するための手段】
【０００６】
本発明は、上記の課題を解決するために以下の構成を採用した。
（１）本発明の妊婦用下半身衣類は、着用された状態において着用者の胴体を囲むように環状に設けられ、着用者の腹部の下側を支持可能なサポート部と、前記妊婦用下半身衣類の前中心において前記サポート部よりも上方に設けられ、前記妊婦用下半身衣類における前側の上縁の少なくとも一部を構成する前合わせ部と、を備え、前記サポート部は、前記前合わせ部の右上端から下端を通って左上端までの辺に沿って設けられ、前記前合わせ部は、他の部分と接合する第１の接合辺と、前記上縁のうちの一部を構成し、且つ他の部分と接合していない第１の非接合辺と、を有する第１部と、他の部分と接合する第２の接合辺と、前記上縁のうちの一部を構成し、且つ他の部分と接合していない第２の非接合辺と、を有する第２部と、を有し、前記第１部と前記第２部とは、前記第１の非接合辺と前記第２の非接合辺とが交差するように少なくとも一部が重なる。
上記構成によれば、前合わせ部は、他の部分と接合していない第１の非接合辺を有する第１部と、他の部分と接合していない第２の非接合辺を有する第２部とが、互いの非接合辺が交差するように少なくとも一部が重なる。これにより、前合わせ部は、サポート部が着用者の腹部を下側および両脇から支持することでサポート部にかかる力を吸収し、第１部と第２部とが互いに連動せずに独立して腹部に沿うことができる。このため、着用者の腹部の下側を十分に支持しつつ、前合わせ部が着用者の腹部を圧迫して腹部に食い込むことを効果的に防止することが可能である。また、第１部と第２部との重なりにより着用者の腹部を保温および保護することが可能である。
【０００７】
（２）本発明の妊婦用下半身衣類において、前記前合わせ部の方が前記サポート部よりも伸縮性が高くてもよい。
上記構成によれば、妊婦用下半身衣類の上縁における前側にある前合わせ部の方がその周りのサポート部よりも伸縮性が高いので、前合わせ部によって着用者の腹部に圧迫感を与えることを抑制することが可能である。
【０００８】
（３）本発明の妊婦用下半身衣類において、前記第１部は、前記前合わせ部と前記サポート部との境界部分のうちの、前記前合わせ部の右上端よりも下側から前記前合わせ部の下端を通って前記前合わせ部の左上端までの部分で前記サポート部に固定され、前記第２部は、前記境界部分のうちの前記左上端よりも下側から前記前合わせ部の下端を通って前記右上端までの部分で前記サポート部に固定されてもよい。
上記構成によれば、前合わせ部がサポート部に固定される。これにより、簡易な構成で妊婦用下半身衣類を実現できるため、妊婦用下半身衣類の製造が容易になる。
【０００９】
（４）本発明の妊婦用下半身衣類において、前記前合わせ部の右上端から下端を通って左上端まで、前記前合わせ部の周りであって当該前合わせ部と前記サポート部とを接続する接続部を備え、前記第１部は、前記前合わせ部と前記接続部との境界部分のうちの、前記前合わせ部の右上端よりも下側から前記前合わせ部の下端を通って前記前合わせ部の左上端までの部分で前記接続部に固定され、前記第２部は、前記境界部分のうちの前記右上端から前記前合わせ部の下端を通って前記左上端よりも下側までの部分で前記接続部に固定されてもよい。
上記構成によれば、前合わせ部とサポート部との間に接続部を備えるので、接続部１４の大きさを変えることによりサポート部の大きさを変えずに前合わせ部を着用者の腹部の大きさに合った適切な大きさにすることができる。
【００１０】
（５）本発明の妊婦用下半身衣類は、前身頃から後身頃にわたるように設けられたクロッチ部を有し、前記サポート部が前記クロッチ部と接続してもよい。
上記構成によれば、サポート部はクロッチ部と接続しているので、クロッチ部によりサポート部を着用者の腹部の下側の位置に確実に固定できる。また、クロッチ部によりサポート部を介して前合わせ部の位置を着用者の前側に固定できる。これにより、着用時の着くずれやサポート部のずり上がりを防止できる。
【発明の効果】
【００１１】
本発明によれば、着用者の腹部の下側を十分に支持しつつ、腹部への食い込みを低減することが可能な妊婦用下半身衣類を提供できる。
【図面の簡単な説明】
【００１２】
【図１】本実施形態の妊婦用下半身衣類１の着用状態を右斜め前および右横から見た図
【図２】本実施形態の妊婦用下半身衣類１の着用状態を正面および後ろから見た図
【図３】前合わせ部１０が妊婦用下半身衣類１の前側に設けられる他の例を表す図
【図４】サンプル１〜３の関係を示す図
【図５】非着用状態における前合わせ部１０を模式的に表す図
【図６】前合わせ部１０が接続部１４に固定される変形例の着用状態を正面および右横から見た図
【図７】前サポート部１１ａがクロッチ部１２と接続していない変形例の着用状態を正面から見た図
【発明を実施するための形態】
【００１３】
以下、図面を参照しながら一実施形態の妊婦用下半身衣類１について説明する。図１は、本実施形態の妊婦用下半身衣類１の着用状態を右斜め前および右横から見た図である。図２は、本実施形態の妊婦用下半身衣類１の着用状態を正面および後ろから見た図である。
【００１４】
図１に例示するように、本実施形態の妊婦用下半身衣類１は、妊婦が肌着として下半身に着用するズボン型の妊婦帯である。妊婦用下半身衣類１は、縦横に伸びる伸縮性の高い生地（例えばツーウェイトリコット）で構成されており、大きく膨らんだ着用者の腹部に柔らかくフィットする。本実施形態の妊婦用下半身衣類１は、前合わせ部１０と、着用状態において着用者の胴体を囲むように環状に設けられるサポート部１１と、クロッチ部１２と、両太もも側の開口部１３とを有する。
【００１５】
図２（Ａ）に例示するように、前合わせ部１０は、妊婦用下半身衣類１の前中心においてサポート部１１よりも上方に設けられる。本実施形態では、前合わせ部１０は、妊婦用下半身衣類１の前後方向に関して中央よりも正面側（以下、単に「妊婦用下半身衣類１の前側」と記載する。）に設けられる（図１（Ｂ）参照）。また、前合わせ部１０は、妊婦用下半身衣類１の上縁（例えば、着用時において着用者のウエストラインに位置する。）から下に向かって設けられる。このため、前合わせ部１０は、妊婦用下半身衣類１における前側の上縁の少なくとも一部を構成する。なお、妊婦用下半身衣類１の上縁のうちの他部は、サポート部１１によって構成される（図１及び図２参照）。
【００１６】
図２（Ａ）に例示するように、本実施形態の前合わせ部１０は、第１部１０ａと第２部１０ｂとから構成される。例えば、第１部１０ａは略半円形である。また、第２部１０ｂは第１部１０ａを左右反転させた形である。図２（Ａ）に例示するように、本実施形態の第１部１０ａは、サポート部１１のうちの、前合わせ部１０の右上端から下端を通って左上端までの辺に沿って設けられる前サポート部１１ａに固定される。具体的には、第１部１０ａは、前合わせ部１０と前サポート部１１ａとの境界部分のうちの、前合わせ部１０の右上端Ｄよりも下側の点Ｅから前合わせ部１０の左上端Ｇまでの部分で前サポート部１１ａに固定される。これに対して、第１部１０ａのうちの辺ＧＣＥ（すなわち非接合辺Ａ）は他の部分に固定されていない。すなわち、第１部１０ａは、他の部分（例えば前サポート部１１ａ）と接合する接合辺ＥＦＧと、他の部分と接合していない非接合辺Ａと、を有する。
【００１７】
また、本実施形態の第２部１０ｂは、上記境界部分のうちの左上端Ｇよりも下側の点Ｆから右上端Ｄまでの部分で前サポート部１１ａに固定される。これに対して、第２部１０ｂのうちの辺ＦＣＤ（すなわち非接合辺Ｂ）は他の部分に固定されていない。すなわち、第２部１０ｂは、他の部分（例えば前サポート部１１ａ）と接合する接合辺ＤＥＦと、他の部分と接合していない非接合辺Ｂと、を有する。第２部１０ｂは、前中心を対称軸として第１部１０ａと左右対称の関係にある。このため、本実施形態では前合わせ部１０の周囲に沿った長さのうち、前合わせ部１０の右上端Ｄ（具体的には第２部１０ｂの右上端）から第１部１０ａの右上端Ｅまでの長さＬは、前合わせ部１０の左上端Ｇ（具体的には第１部１０ａの左上端）から第２部１０ｂの左上端Ｆまでの長さＬ’と等しい（例えば、長さＬは６ｃｍ）。
【００１８】
非着用状態において、本実施形態では非接合辺Ａと非接合辺Ｂとは真っ直ぐである（図５（Ａ）参照）。図２（Ａ）に例示するように、本実施形態では、第１部１０ａの非接合辺Ａと第２部１０ｂの非接合辺Ｂとが妊婦用下半身衣類１の前中心に対応する点Ｃで交差するように第１部１０ａの内側に第２部１０ｂが重なる。このため、非接合辺Ａのうちの辺ＧＣと非接合辺Ｂのうちの辺ＣＤとが妊婦用下半身衣類１の上縁のうちの一部を構成する（図２（Ａ）参照）。
【００１９】
このように、本実施形態では第１部１０ａのうちの非接合辺Ａと、第２部１０ｂのうちの非接合辺Ｂとは互いに固定されておらず、且つ他の部分にも固定されていない。これにより、第１部１０ａと第２部１０ｂとを他と連動させずに独立して腹部に沿わせることができ、妊婦用下半身衣類１の上端にかかる力を分散できる。このため、腹回りのサイズが大きい場合であっても、妊婦用下半身衣類１の上端が腹部に食い込むことを効果的に抑制し、腹部に対する締め付け感を軽減することが可能である。
【００２０】
さらに、本実施形態では長さＬと長さＬ’との長さが等しく、第１部１０ａにかかる力が第２部１０ｂにかかる力と等しくなる。これにより、妊婦用下半身衣類１の上端にかかる力を左右で均等にできるので、上端のうちの左右の片側の一部が腹部に食い込むことを防止できる。
【００２１】
本実施形態では、第１部１０ａと第２部１０ｂとが重なる領域（具体的には点ＣＥＦで囲まれる領域）の大きさは、第１部１０ａと第２部１０ｂとが重ならない領域（具体的には、点ＣＦＧで囲まれる領域および点ＣＤＥで囲まれる領域）の大きさよりも大きい。これにより、非接合辺Ａおよび非接合辺Ｂが他の部分に固定されていなくても前合わせ部１０により着用者の腹部を安定して覆って保護できる。
【００２２】
なお、上述したように、前合わせ部１０は、縦横に伸びる伸縮性の高い生地（例えばツーウェイトリコット）で構成される。一方、サポート部１１には、当該生地に対して伸縮性が低い生地（本実施形態ではパワーネット）が全面に表打ち（裏打ちでもよい）される。したがって、本実施形態においては、前合わせ部１０は、サポート部１１よりも伸縮性が高い。これによって、前合わせ部１０によって着用者の腹部に圧迫感を与えることを抑制することが可能である。なお、本実施形態では、サポート部１１の方が前合わせ部１０よりも伸びた場合に戻るときの力が強い。
【００２３】
図１及び図２に例示するように、本実施形態のサポート部１１は、前合わせ部１０の上縁の左右両側から延びて、着用状態において着用者の胴体を囲むように環状に設けられる。サポート部１１によって、着用者の腹部の下側を支持可能である。本実施形態では、サポート部１１は、前サポート部１１ａと第１後サポート部１１ｂと第２後サポート部１１ｃとから構成される。図２（Ａ）に例示するように、前サポート部１１ａは、妊婦用下半身衣類１の前側において前合わせ部１０の右上端から下端を通って左上端までの辺に沿って設けられる。
【００２４】
図２（Ｂ）に例示するように、第１後サポート部１１ｂ及び第２後サポート部１１ｃは、妊婦用下半身衣類１の後ろ側に設けられている。本実施形態では、第１後サポート部１１ｂ及び第２後サポート部１１ｃの上縁は何れも真っ直ぐである。図１（Ｂ）に例示するように、第１後サポート部１１ｂは、妊婦用下半身衣類１の上縁から下に向かって、前サポート部１１ａの右端と連結するように設けられている。第２後サポート部１１ｃは、後ろ中心を対象軸として第１後サポート部１１ｂと左右対称の同じ構成である（図２（Ｂ）参照）。このため、第２後サポート部１１ｃは、第１後サポート部１１ｂと同様に妊婦用下半身衣類１の上縁から下に向かって、前サポート部１１ａの左端と連結するように設けられている（不図示）。本実施形態では、点Ｄから前サポート部１１ａと第１後サポート部１１ｂとの境界部分（本実施形態では前身頃と後身頃との右側の境界部分）までの長さは、点Ｇから前サポート部１１ａと第２後サポート部１１ｃとの境界部分（本実施形態では前身頃と後身頃との左側の境界部分）までの長さと等しい。この長さよりも、前サポート部１１ａの前中心における上下方向の長さの方が長い。このような構成により、着用者の腹部を圧迫せずにサポート部１１によって腹部を横側と下側とから支持することが可能である。
【００２５】
図２（Ｂ）に例示するように、第１後サポート部１１ｂ及び第２後サポート部１１ｃの下縁は開口部１３と接続する。第１後サポート部１１ｂ及び第２後サポート部１１ｃと開口部１３との境界は、後ろ中心から左右に向かうにつれて下方に位置する。すなわち、第１後サポート部１１ｂと第２後サポート部１１ｃとの上下方向の幅は、後ろ中心から左右に向かうにつれて広くなる（図１（Ｂ）及び図２（Ｂ）参照）。これにより、第１後サポート部１１ｂ及び第２後サポート部１１ｃが着用者の臀部の膨らみにかからないようにすることが可能である。このため、着用時に妊婦用下半身衣類１の後ろ側が余ることなく、前サポート部１１ａを第１後サポート部１１ｂ及び第２後サポート部１１ｃに沿って引っ張ることができる。このため、サポート部１１全体によって着用者の背中側から支えるように腹部を下側から支持することが可能である。
【００２６】
上述したように前合わせ部１０は妊婦用下半身衣類１の前側に設けられる。このため、前合わせ部１０と前サポート部１１ａとの境界は、妊婦用下半身衣類１の前側、又は前身頃と後身頃との境界部分に有る（図１（Ｂ）及び図３（Ａ）参照）。このような位置に前合わせ部１０と前サポート部１１ａとの境界が有る場合、当該境界が妊婦用下半身衣類１の後ろ側に有る場合（不図示）と比べて着用者の胴体を横側（例えば腸骨の辺り）からサポートできる。これにより、腹部をしっかりと支持できる。
【００２７】
なお、前合わせ部１０と前サポート部１１ａとの境界は、前身頃と後身頃との境界部分よりもより前側に有るほど腹部をしっかりと支持できる。具体的には、前合わせ部１０と前サポート部１１ａとの境界の一部が前身頃と後身頃との境界部分に有る場合（図３（Ａ）参照）よりも、前合わせ部１０と前サポート部１１ａとの境界の全部が前身頃に有る場合（図３（Ｂ）参照）の方が腹部をしっかりと支持できる。また、図３（Ｂ）の例よりも図１（Ｂ）の例の方が腹部をしっかりと支持できる。
【００２８】
図１（Ａ）に例示するように、本実施形態では前サポート部１１ａがクロッチ部１２と接続する。クロッチ部１２は、前身頃から後身頃にわたるように着用者のまたに接する位置に設けられる部分であり、本実施形態においては前サポート部１１ａの下端から水平方向後ろ側に延設される部分である。クロッチ部１２は、着用者が動いても位置があまり変わらない。このようなクロッチ部１２と接続されているので、前サポート部１１ａは着用者の腹部の下側の位置に確実に固定できる。これにより、前サポート部１１ａがずり上がることを防止できる。また、前合わせ部１０は、クロッチ部１２により前サポート部１１ａを介して着用者の前側に固定できる。これにより、着用時の着くずれを防止できる。
【００２９】
図２に例示するように、本実施形態において前サポート部１１ａと開口部１３との境界は、前サポート部１１ａとクロッチ部１２との境界から左右外側に向かうにつれて上方に延びる。前サポート部１１ａと開口部１３との境界は、真っ直ぐではなく、開口部１３に対して前サポート部１１ａが凹むように形成される。仮に、前サポート部１１ａと開口部１３との境界が真っ直ぐである場合、前サポート部１１ａが着用者の体（具体的には鼠蹊部）に食い込むおそれがある。本実施形態では、上述のように開口部１３に対して前サポート部１１ａが凹むように形成されているので、前サポート部１１ａが着用者の体に食い込むことを効果的に防止することが可能である。
【００３０】
なお、他の実施形態では、前サポート部１１ａと開口部１３との境界は、真っ直ぐでもよいし、開口部１３に対して前サポート部１１ａが膨らむように形成されてもよい。
【００３１】
本実施形態では、図１及び図２（Ｂ）に例示するように、妊婦用下半身衣類１の上縁のうちの、サポート部１１の上縁（具体的には、図１及び図２に例示する１１ａ’〜１１ｃ’）には伸縮素材（例えばゴム）が裏打ち（表打ちでもよい）される。この伸縮素材は、妊婦用下半身衣類１の上縁のうちの前合わせ部１０は備えない。これにより、前合わせ部１０が着用者の腹部に食い込むことを防止しながら妊婦用下半身衣類１を着用者の腰に沿わすことが可能である。なお、他の実施形態では、妊婦用下半身衣類１は上記伸縮素材を備えなくてもよい。
【００３２】
図４（Ａ）〜（Ｃ）は、妊婦用下半身衣類１のサンプル１〜３の着用状態を正面から見た図である（なお、図を簡単にするため着用者の表記を省略している。）。なお、サンプル１〜３について共通する構成は同じ参照符号を付して説明を省略する。図４（Ｄ）は、サンプル１〜３の関係を示す表である。
【００３３】
サンプル１〜３は、それぞれ下記（１）〜（３）のうち少なくとも１種類の長さが異なる。
（１）第２部１０ｂの右上端Ｄから第１部１０ａの右上端Ｅまでの長さＬ。
（２）前合わせ部１０の前中心における上下方向の長さＭ。
（３）前サポート部１１ａの前中心における上下方向の長さＮ。
【００３４】
より具体的には、サンプル１〜３は以下の関係である（図４（Ａ）〜（Ｄ）参照）。
・サンプル１の方が、サンプル２及び３よりも長さＬが長い。なお、サンプル２はサンプル３と長さＬが等しい。（例えば、サンプル１での長さＬ１は約６ｃｍであり、サンプル２及び３での長さＬ２は約４ｃｍである。）
・サンプル１の方が、サンプル２及び３よりも長さＭが短い。なお、サンプル２の方が、サンプル３よりも長さＭが短い。（例えば、サンプル１での長さＭ１は約１５ｃｍであり、サンプル２での長さＭ２は約１５．５ｃｍであり、サンプル３での長さＭ３は約１６ｃｍである。）
・サンプル１の方が、サンプル２よりも長さＮが短い。なお、サンプル１はサンプル３と長さＮが等しい。（例えば、サンプル１及び３での長さＮ１は約１１ｃｍであり、サンプル２での長さＮ２は約１２ｃｍである。）
【００３５】
サンプル１〜３を比較した結果、以下の特徴を見出せる。長さＬが長い場合は、これよりも短い場合と比べて第１部１０ａと第２部１０ｂとが重なる領域が小さいので、これらの部分が互いに干渉し難く独立して腹部に沿い易い。すなわち、長さＬが長いほど着用時に妊婦用下半身衣類１の上端が腹部に食い込み難い。長さＬが短い場合は、これよりも長い場合と比べて妊婦用下半身衣類１の上端が腹部に食い込み易いおそれがある。しかしながら、長さＬが短ければ短いほど第１部１０ａと第２部１０ｂとが重なる領域が大きくなるので、腹部を安定して覆って保護できる。このようなことから、例えば、長さＬが着用状態において交点Ｃが腹部の膨らみのほぼ中央に位置するような長さの場合、これよりも長さＬが長かったり短かったりする場合と比べて、腹部を十分に保護しつつ腹部への食い込みを効果的に低減することが可能である。
【００３６】
なお、長さＬが等しい場合、長さＭが長く長さＮが短いほど着用時に妊婦用下半身衣類１全体にゆとりがでる。また、長さＬが等しい場合、長さＭが短く長さＮが長いほど腹部を支持する力が強い。例えば、非着用時において長さＭと長さＮとが４：３〜７：６の比率となる場合、着用者の腹部の下側を十分に支持しつつ、腹部への食い込みをより効果的に低減することが可能である。なお、長さＭと長さＮとがどのような比率であっても、前合わせ部１０の構成を採用している場合は採用していない場合に比べて腹部への食い込みを抑制することが可能である。
【００３７】
［変形例］
図５〜図７を参照して妊婦用下半身衣類１の変形例について説明する。なお、以下では図１〜図４に例示する妊婦用下半身衣類１と共通する構成については同じ参照符号を付して説明を省略する。
【００３８】
図５は、非着用状態における前合わせ部１０を模式的に表す図である。上述した実施形態では、図５（Ａ）に例示するように、非着用状態において、第１部１０ａのうちの辺ＧＣＥ（すなわち非接合辺Ａ）と、第２部１０ｂのうちの辺ＦＣＤ（すなわち非接合辺Ｂ）とは真っ直ぐである。他の実施形態においては、辺ＧＣＥ及び辺ＦＣＤは図５（Ｂ）〜（Ｄ）に例示するように一部（又は全部）が曲がっていてもよい。図５（Ｂ）は、辺ＧＣＥ及び辺ＦＣＤが点Ｅ及び点Ｆよりも下側まで曲がっている例を例示している。これにより、長さＬを短くしたまま第１部１０ａと第２部１０ｂとが重なる領域を狭くできるので、着用者の腹部にかかる圧力を軽減できる。また、図５（Ｃ）に例示するように、非接合辺Ａ及び非接合辺Ｂは上側に膨らんでいてもよい。これにより、図５（Ａ）に例示する前合わせ部１０に比べて、第１部１０ａと第２部１０ｂとが互いに重ならない部分で着用者の腹部をより多く覆って腹部を保温および保護することが可能である。また、図５（Ｄ）に例示するように、非接合辺Ａと非接合辺Ｂとが点ではなく辺で重なってもよい。これにより、図５（Ａ）に例示する前合わせ部１０に比べて、第１部１０ａと第２部１０ｂとが互いに重なる部分で着用者の腹部をより多く覆うことができるので、より腹部を保温および保護することが可能である。
【００３９】
また、図５（Ｅ）に例示するように、第１部１０ａの右端が点Ｄでなくてもよい。また、第２部１０ｂの左端が点Ｇでなくてもよい。これにより、妊婦用下半身衣類１の上端よりも下側で前合わせ部１０の横幅を広げられるので、着用者の腹部の締め付けを軽減できる。例えば、第１部１０ａの右端が点Ｅでもよいし、第２部１０ｂの右端が点Ｆでもよい。この場合、図５（Ａ）に例示する前合わせ部１０に比べて、第１部１０ａのうちの辺ＧＣＥの長さと、第２部１０ｂのうちの辺ＦＣＤの長さとを長くできる。これにより、妊婦用下半身衣類１の上端が腹部により食い込み難くすることが可能である。
【００４０】
また、第１部１０ａと第２部１０ｂとは略半円形に限らずどのような形でもよい。例えば、図５（Ｆ）に例示するように一部が波状になっていてもよい。
【００４１】
また、第１部１０ａと第２部１０ｂとが一体的に形成されてもよい。図５（Ｇ）に示す例では、第１部１０ａの非接合辺Ａの一端Ｈは、第２部１０ｂの端以外の部分に繋がっている。また、第２部１０ｂの非接合辺Ｂの一端Ｉは第１部１０ａの端以外の部分に繋がっている。一点鎖線で囲った部分が第１部１０ａであり、二点鎖線で囲った部分が第２部１０ｂである。第１部１０ａについて、一点鎖線のうちの辺ＧＣＨの部分が非接合辺Ａであり、残りの部分が他の部分（この場合は、前合わせ部１０のうちの第１部１０ａ以外の部分）と接合する接合辺である。また、第２部１０ｂについて、二点鎖線のうちの辺ＩＣＤの部分が非接合辺Ｂであり、残りの部分が他の部分（この場合は、前合わせ部１０のうちの第２部１０ｂ以外の部分）と接合する接合辺である。
【００４２】
図５（Ｇ）に示す例では、第２部１０ｂの手前側に重畳して第１部１０ａが重なっている。Ｘ１−Ｘ１’の断面図に例示するように第１部１０ａと第２部１０ｂとが重ならない領域では１枚の布となる。これに対して、Ｘ２−Ｘ２’の断面図に例示するように第１部１０ａと第２部１０ｂとが重なる領域では２枚の布が重なる部分と１枚の布の部分とがある。このような構成である場合、前合わせ部１０と前サポート部１１ａとの境界を簡易な構成にできるので、生地の重なりによるごわつきを極力抑えることが可能である。
【００４３】
また、妊婦用下半身衣類１の上縁は、着用者のウエストラインよりも下側に位置してもよい。例えば、妊婦用下半身衣類１の上縁は、着用者のへそと腰との間の高さに位置してもよいし、腰の高さに位置してもよい。これにより、腹部が最も膨らんでいるところよりも下側に妊婦用下半身衣類１が位置することになる。このため、腹部が最も膨らんでいるところに妊婦用下半身衣類１が位置する場合と比べて、より腹部への食い込みを軽減することが可能である。
【００４４】
図６は、前合わせ部１０が接続部１４に固定される変形例の着用状態を正面および右横から見た図である。図６に例示するように、接続部１４は、前合わせ部１０の右上端から下端を通って左上端までの辺に沿って設けられる。ここで、接続部１４の右上端から下端を通って左上端までの辺に沿って前サポート部１１ａが設けられる。このため、前サポート部１１ａは、前合わせ部１０の右上端から下端を通って左上端までの辺に沿って設けられているといえる。接続部１４は前合わせ部１０と同じ生地で構成される。したがって、接続部１４は、前合わせ部１０と伸縮性が同じでありサポート部１１よりも伸縮性が高い。なお、他の実施形態では、接続部１４は前合わせ部１０よりも伸縮性が低い生地で構成されてもよい。この場合、接続部１４によってもサポート部１１と同様に着用者の腹部と腰とをサポートすることができる。また、他の実施形態では、接続部１４は前合わせ部１０よりも伸縮性の高い生地で構成されてもよい。
【００４５】
図６に例示するように、第１部１０ａは、前合わせ部１０と接続部１４との境界部分のうちの、前合わせ部１０の右上端Ｄ（具体的には第２部１０ｂの右上端）よりも下側の点Ｅから前合わせ部１０の左上端Ｇ（具体的には第１部１０ａの左上端）までの部分で接続部１４に固定される。また、第２部１０ｂは、上記境界部分のうちの右上端Ｄから左上端Ｇよりも下側の点Ｆまでの部分で接続部１４に固定される。前合わせ部１０と接続部１４との境界は妊婦用下半身衣類１の前側に有る。また、接続部１４と前サポート部１１ａとの境界は妊婦用下半身衣類１の前側に有る。
【００４６】
接続部１４は、前合わせ部１０と前サポート部１１ａとの間に備えられる。これにより、前合わせ部１０の大きさの仕様を決める際、接続部１４の大きさを変えることにより前サポート部１１ａの大きさを変えずに前合わせ部１０を着用者の腹部の大きさに合った適切な大きさにすることができる。また、前サポート部１１ａにかかる力は接続部１４で分散して前合わせ部１０に伝わるので、前合わせ部１０が部分的に引きつることを防止することが可能である。
【００４７】
図７は、前サポート部１１ａがクロッチ部１２と接続していない変形例の着用状態を正面から見た図である。図７に示す例では、前サポート部１１ａがクロッチ部１２と接続していないので、着用時における前サポート部１１ａの位置を調節し易くなる。
【００４８】
なお、他の実施形態においては、前合わせ部１０は、非伸縮性または難伸縮性の生地（例えば、布帛またはトリコット）で形成される構成でもよい。このような構成であっても前合わせ部１０の構成を採用しているので、妊婦用下半身衣類１の上縁が着用者の腹部に食い込むことを抑制することが可能である。
【００４９】
また、他の実施形態では、第２部１０ｂは第１部１０ａを左右反転させた形でなくてもよい。また、第１部１０ａは第２部１０ｂと異なる大きさでもよい。
【００５０】
また、他の実施形態では、第１部１０ａの外側に第２部１０ｂが重なってもよい。また、非接合辺Ａと非接合辺Ｂとの交点Ｃの位置は、妊婦用下半身衣類１の前中心よりも右側でもよいし、左側でもよい。また、長さＬは長さＬ’よりも長くてもよいし、短くてもよい。また、第１部１０ａが第２部１０ｂと重なる領域の大きさは、第２部１０ｂと重ならない領域の大きさよりも小さくてもよいし、同じでもよい。
【００５１】
また、他の実施形態では、伸縮性が低い生地に代えて、伸縮性は高いものの伸ばすには着用者の腹部の支持にかかる力に比べて大きな力がいる素材（例えばゴム）を用いてサポート部１１を構成してもよい。この場合において、サポート部１１の方が前合わせ部１０よりも伸びた場合に戻るときの力が強い。
【００５２】
また、他の実施形態では、前サポート部１１ａは、第１後サポート部１１ｂ及び第２後サポート部１１ｃのうちの何れか又は両方と着脱可能に係止されてもよい。具体的には、例えば、前サポート部１１ａは、右端が第１後サポート部１１ｂの上側に重なるような形状でもよい。また、前サポート部１１ａは、左端が第２後サポート部１１ｃの上側に重なるような形状でもよい。そして、例えば、前サポート部１１ａと第１後サポート部１１ｂ（又は第２後サポート部１１ｃ）との重なる部分が係止できるように、この部分に面ファスナーが設けられてもよい。このような構成でも、サポート部１１は、着用状態において着用者の胴体を囲むように環状に設けられ、着用者の腹部の下側を支持可能である。
【００５３】
また、他の実施形態では、妊婦用下半身衣類１は、各構成部分のうちの何れか２以上のパーツが一体成型されてもよい。例えば、前サポート部１１ａ、第１サポート部１１ｂ、及び第２サポート部１１ｃが一体成型されてもよい。また、例えば、生地の編み方を切り替えることにより、前合わせ部１０とサポート部１１とが一体成型されてもよいし、サポート部１１と開口部１３とが一体成型されてもよいし、妊婦用下半身衣類１全体が一体成型されてもよい。
【００５４】
本発明の妊婦用下半身衣類１は、種々の態様が可能である。例えば、クロッチ部１２を備えない腹巻型の妊婦帯、スポーツ衣類、外着用の妊婦用下半身衣類（例えば、ズボン、スカート）など、各種の妊婦用下半身衣類に適用できる。また、上述した構成は単なる一例であり、本発明は、上記実施形態に限定されず、様々な変形および応用が可能である。また、上記実施形態および変形例は互いに適用可能であり、様々な組み合わせで本発明が実現されてもよい。
【符号の説明】
【００５５】
１    妊婦用下半身衣類
１０  前合わせ部
１０ａ  第１部
１０ｂ  第２部
１１ａ  前サポート部
１１ｂ  第１後サポート部
１１ｃ  第２後サポート部
１２  クロッチ部
１３  開口部
１４  接続部
【図１】
2020111841.tif 000003
【図２】
2020111841.tif 000004
【図３】
2020111841.tif 000005
【図４】
2020111841.tif 000006
【図５】
2020111841.tif 000007
【図６】
2020111841.tif 000008
【図７】
2020111841.tif 000009
【手続補正書】
【提出日】令和1年12月23日(2019.12.23)
【手続補正１】
【補正対象書類名】明細書
【補正対象項目名】０００６
【補正方法】変更
【補正の内容】
【０００６】
本発明は、上記の課題を解決するために以下の構成を採用した。
（１）本発明の妊婦用下半身衣類は、着用された状態において着用者の胴体を囲むように環状に設けられ、着用者の腹部の下側を支持可能なサポート部と、前記妊婦用下半身衣類の前中心において前記サポート部よりも上方に設けられ、前記妊婦用下半身衣類における前側の上縁の少なくとも一部を構成する前合わせ部と、を備え、前記サポート部は、前記前合わせ部の右上端から下端を通って左上端までの辺に沿って設けられ、前記前合わせ部は、他の部分と接合する第１の接合辺と、前記上縁のうちの一部を構成し、且つ他の部分と接合していない第１の非接合辺と、を有する第１部と、他の部分と接合する第２の接合辺と、前記上縁のうちの一部を構成し、且つ他の部分と接合していない第２の非接合辺と、を有する第２部と、を有し、前記第１部と前記第２部とは、前記第１の非接合辺と前記第２の非接合辺とが交差するように少なくとも一部が重なり、前記前合わせ部の端部における前記第１の非接合辺の上端から前記第２の非接合辺の下端までの長さＬは、前記第１の非接合辺と前記第２の非接合辺との交点から前記前合わせ部の下端までの長さよりも短く、前記長さＬは、前記サポート部の前中心における上下方向の長さよりも短い。
上記構成によれば、前合わせ部は、他の部分と接合していない第１の非接合辺を有する第１部と、他の部分と接合していない第２の非接合辺を有する第２部とが、互いの非接合辺が交差するように少なくとも一部が重なる。これにより、前合わせ部は、サポート部が着用者の腹部を下側および両脇から支持することでサポート部にかかる力を吸収し、第１部と第２部とが互いに連動せずに独立して腹部に沿うことができる。このため、着用者の腹部の下側を十分に支持しつつ、前合わせ部が着用者の腹部を圧迫して腹部に食い込むことを効果的に防止することが可能である。また、第１部と第２部との重なりにより着用者の腹部を保温および保護することが可能である。
【手続補正２】
【補正対象書類名】特許請求の範囲
【補正対象項目名】全文
【補正方法】変更
【補正の内容】
【特許請求の範囲】
【請求項１】
妊婦用下半身衣類であって、
前記妊婦用下半身衣類が着用された状態において着用者の胴体を囲むように環状に設けられ、着用者の腹部の下側を支持可能なサポート部と、
前記妊婦用下半身衣類の前中心において前記サポート部よりも上方に設けられ、前記妊婦用下半身衣類における前側の上縁の少なくとも一部を構成する前合わせ部と、を備え、
前記サポート部は、
前記前合わせ部の右上端から下端を通って左上端までの辺に沿って設けられ、
前記前合わせ部は、
他の部分と接合する第１の接合辺と、前記上縁のうちの一部を構成し、且つ他の部分と接合していない第１の非接合辺と、を有する第１部と、
他の部分と接合する第２の接合辺と、前記上縁のうちの一部を構成し、且つ他の部分と接合していない第２の非接合辺と、を有する第２部と、を有し、
前記第１部と前記第２部とは、前記第１の非接合辺と前記第２の非接合辺とが交差するように少なくとも一部が重なり、
前記前合わせ部の端部における前記第１の非接合辺の上端から前記第２の非接合辺の下端までの長さＬは、前記第１の非接合辺と前記第２の非接合辺との交点から前記前合わせ部の下端までの長さよりも短く、
前記長さＬは、前記サポート部の前中心における上下方向の長さよりも短い、妊婦用下半身衣類。
【請求項２】
前記前合わせ部の方が前記サポート部よりも伸縮性が高い、請求項１に記載の妊婦用下半身衣類。
【請求項３】
前記前合わせ部は前記サポート部に固定されており、
前記第１部は、
前記前合わせ部と前記サポート部との境界部分のうちの、前記前合わせ部の右上端よりも下側から前記前合わせ部の下端を通って前記前合わせ部の左上端までの部分で前記サポート部に固定され、
前記第２部は、
前記境界部分のうちの前記左上端よりも下側から前記前合わせ部の下端を通って前記右上端までの部分で前記サポート部に固定される、請求項１又は２に記載の妊婦用下半身衣類。
【請求項４】
前記前合わせ部の右上端から下端を通って左上端まで、前記前合わせ部の周りであって
当該前合わせ部と前記サポート部とを接続する接続部を備え、
前記第１部は、
前記前合わせ部と前記接続部との境界部分のうちの、前記前合わせ部の右上端よりも下側から前記前合わせ部の下端を通って前記前合わせ部の左上端までの部分で前記接続部に固定され、
前記第２部は、
前記境界部分のうちの前記右上端から前記前合わせ部の下端を通って前記左上端よりも下側までの部分で前記接続部に固定される、請求項１又は２に記載の妊婦用下半身衣類。
【請求項５】
前記妊婦用下半身衣類は、
前身頃から後身頃にわたるように設けられたクロッチ部を有し、
前記サポート部が前記クロッチ部と接続する、請求項１から４の何れか１項に記載の妊婦用下半身衣類。